(57)【要約】【課題】  捨てタイルを用いる必要がなく、取り回しの良い幅定規であって、用いる床材の幅に合せて切り替えて対応することができる幅定規を得る。【解決手段】  貼着される床材を壁面に沿った内形状に切断するに際して使用し、壁面に接触させる一端辺と貼着される床材をカットするかカット用の印しを付与する他端辺との幅長さが予め定められた幅長さとする幅定規であって、幅定規が、一端辺を含む第１本体部と、他端辺を含む第２本体部と、一端辺と他端辺との間の幅長さを第１幅長さ又は第２幅長さに変更可能に保持する幅調節手段とを備え、幅調節手段を介して第１本体部と第２本体部とが互いに変位可能に連結されているもの。【選択図】      図１
2016211194.tif 000002
【特許請求の範囲】
【請求項１】
貼着される床材を壁面に沿った内形状に切断するに際して使用し、壁面に接触させる一端辺と貼着される床材をカットするかカット用の印しを付与する他端辺との幅長さが予め定められた幅長さとする幅定規であって、
前記幅定規が、
前記一端辺を含む第１本体部と、
前記他端辺を含む第２本体部と、
前記一端辺と他端辺との間の幅長さを第１幅長さ又は第２幅長さに変更可能に保持する幅調節手段とを備え、
前記幅調節手段を介して第１本体部と第２本体部とが互いに変位可能に連結されていることを特徴とする可変幅定規。
【請求項２】
前記幅調節手段が、
第１本体部の一端辺に対向する位置に形成された凹状領域と、第２本体部の他端辺に対向する位置に前記凹状領域に挿入される入れ子領域とからなるスライド機構と、
前記第１幅長さの状態と第２幅長さの状態との各々の幅長さに規制するスライド規制手段と、
前記第１幅長さの状態及び第２幅長さの状態に保持する固定手段とからなることを特徴とする請求項１に記載の可変幅定規。
【請求項３】
前記第１幅長さと第２幅長さとが、６０mm、７５mm、１００mm、１２０mm、１５０mm、１５２．４mm幅から選ばれた２つからなることを特徴とする請求項１又は２に記載の可変幅定規。
【発明の詳細な説明】
【技術分野】
【０００１】
本発明は、床材の施工の際などに使用される幅定規に関するものである。
【背景技術】
【０００２】
床材の施工では、入り組んだ壁面に沿った形状に床材を切断して床面に貼着する必要がある。そのため、作業者は幅定規と呼ばれる定規を用いて、入り組んだ壁面を床材に写し取る作業を行う。幅定規は、ナイフやカッターで床材を切断する際に刃部をあてがう一定の幅を有する矩形状の定規であって、一定の幅を有するため、内装壁面の内法に沿った形状に切り込みを入れやすい定規であり、透明な樹脂製や金属製等のものが市販されている。
【０００３】
幅広の床材シートを施工する際の幅定規を用いた一般的な床施工としては、次の通りである。先ず、床材シートの幅方向のカットを行う。内装壁面と平行に床材シートを置き、幅定規をあてて確認する。出柱など幅定規より大きい障害物がある場合は出柱の出寸法に沿ったカットライン及び両端方向に沿ったカットラインを印し、床材シートを出柱に被せるように奥へと差し込んで仮設置する。
【０００４】
仮設置された床材シートに幅定規を当て、幅定規を後下がりに引きつつ、先端にカッターナイフをあて、壁方向に力を加えながら床材シートをカットしていく。この時、幅定規は、先端を壁に押し付けるようにし、手前側の角は壁にゆるくあてる程度とする。幅定規を当ててのカットが困難な、端部の余り部分は、直定規等を当てて切り落とす。次に床材シートの丈方向のカットを行う。幅方向を切り込んだ床材シートが、きちんと納まることを確認してから丈方向の切り込みをする。
【０００５】
また、矩形状の幅定規以外にも床面形状が直方形でない特殊な形状の部屋でも良好に対応可能な床材にカットラインをけがく（印す）ためのケガキ作業用の線引定規も提案されている（例えば、特許文献１参照）。
【先行技術文献】
【特許文献】
【０００６】
【特許文献１】実開平５−２８８４号公報
【発明の概要】
【発明が解決しようとする課題】
【０００７】
このような床施工においては、幅広の床材シートだけでなく、近年では、フローリング材としてウッドタイルを敷き詰める施工が人気となってきている。ウッドタイルとしては、木製タイルは元より表面に木目柄をプリントした複層ビニル床タイルであり、大きさとしては、一定の幅（例えば、７５mm、１００mm等）と長さ（例えば、９００mm等）を有するタイルであり、特に木目柄をプリントした複層ビニル床タイルは、軽く、施工も容易で、仕上がりも良く人気が高いウッドタイルである。
【０００８】
このウッドタイルの施工に際しては、前述の幅広の床材シートとは相違し、一つ一つのウッドタイルを連結しつつ床に設置していく。図３はウッドタイルの施工工程を示した説明図である。ａ図に示す通り、ウッドタイル３１を一列ずつ設置する。ウッドタイル３１が対向する壁の間際になった際に、ｂ図に示す通り、ウッドタイル３１を２重に配置した後、ウッドタイル３１の捨てタイル３２の一辺を施工部屋の壁面に当接させながら、カットラインを上層のウッドタイル３１ｂにけがく（印す）。
【０００９】
ｃ図に示す通り、カットラインをけがいたウッドタイル３１ｂをカットし、壁際に納めて床施工を終了する。作業者の多くは施工時間の短縮のために、カットラインのけがきを省いて捨てタイルの一辺を施工部屋の壁面に当接させながら、カットすることも試みられるが、捨てタイル自体の厚さは薄いため、カッターのガイドとしては失敗が多く、カッターのガイドとしては幅定規の方が遙かに取り回しがよい。
【００１０】
また、ウッドタイルとしては、前述の通り、７５mm、１００mm等のように一定の幅のものが市販されているため、作業者は捨てタイルで作業に当たることが圧倒的に多い。
【００１１】
本発明は、捨てタイルを用いる必要がなく、取り回しの良い幅定規であって、用いる床材の幅に合せて切り替えて対応することができる幅定規を得ることを目的とする。
【課題を解決するための手段】
【００１２】
請求項１に記載された発明に係る可変幅定規は、貼着される床材を壁面に沿った内形状に切断するに際して使用し、壁面に接触させる一端辺と貼着される床材をカットするかカット用の印しを付与する他端辺との幅長さが予め定められた幅長さとする幅定規であって、
前記幅定規が、
前記一端辺を含む第１本体部と、
前記他端辺を含む第２本体部と、
前記一端辺と他端辺との間の幅長さを第１幅長さ又は第２幅長さに変更可能に保持する幅調節手段とを備え、
前記幅調節手段を介して第１本体部と第２本体部とが互いに変位可能に連結されていることを特徴とするものである。
【００１３】
請求項２に記載された発明に係る可変幅定規は、請求項１に記載の幅調節手段が、
第１本体部の一端辺に対向する位置に形成された凹状領域と、第２本体部の他端辺に対向する位置に前記凹状領域に挿入される入れ子領域とからなるスライド機構と、
前記第１幅長さの状態と第２幅長さの状態との各々の幅長さに規制するスライド規制手段と、
前記第１幅長さの状態及び第２幅長さの状態に保持する固定手段とからなることを特徴とするものである。
【００１４】
請求項３に記載された発明に係る可変幅定規は、請求項１又は２に記載の第１幅長さと第２幅長さとが、６０mm、７５mm、１００mm、１２０mm、１５０mm、１５２．４mm幅から選ばれた２つからなることを特徴とするものである。
【発明の効果】
【００１５】
本発明は以上説明した通り、捨てタイルを用いる必要がなく、取り回しの良い幅定規であって、用いる床材の幅に合せて切り替えて対応することができる幅定規を得ることができるという効果がある。
【図面の簡単な説明】
【００１６】
【図１】本発明の可変幅定規の一実施例の第１幅長さでの構成を示す説明図であり、ａ図は平面図、ｂ図は側面図、ｃ図は底面図である。
【図２】図１の幅定規の第２幅長さでの構成を示す説明図であり、ａ図は平面図、ｂ図は側面図、ｃ図は底面図である。
【図３】ウッドタイルの施工工程を示した説明図である。
【発明を実施するための形態】
【００１７】
本発明においては、貼着される床材を壁面に沿った内形状に切断するに際して使用し、壁面に接触させる一端辺と貼着される床材をカットするかカット用の印しを付与する他端辺との幅長さが予め定められた幅長さとする幅定規であって、前記幅定規が前記一端辺を含む第１本体部と、前記他端辺を含む第２本体部と、前記一端辺と他端辺との間の幅長さを第１幅長さ又は第２幅長さに変位可能に保持する幅調節手段とを備え、前記幅調節手段を介して第１本体部と第２本体部とが互いに変位可能に連結されている。これにより、床施工の際に捨てタイルを用いる必要がなく、用いる床材の幅に合せて切り替えて対応することができる取り回しの良い幅定規を用いることができる。
【００１８】
本発明での幅定規としては、施工される床材の幅にあわせて幅を選択することができる。用いる床材としては、ウッドタイル等の幅が比較的狭く、長尺のタイルを対象とする。具体的なウッドタイルとしては、６０mm、７５mm、１００mm、１２０mm、１５０mm、１５２．４mm等の幅のものが市販されているため、本発明の幅調節手段としては、これら市販のウッドタイルの２つの幅長さを第１及び第２の幅長さとして採用しても良い。例えば、一端辺と他端辺との間の幅長さを７５mm又は１００mmに保持するもの、一端辺と他端辺との間の幅長さを６０mm又は１２０mmに保持するもの等とすればよい。
【００１９】
本発明の幅調節手段としては、一端辺と他端辺との間の幅長さを第１幅長さ又は第２幅長さに保持するものであれば良く、例えば、第１本体部の一端辺に対向する位置に形成された凹状領域と、第２本体部の他端辺に対向する位置に前記凹状領域に挿入される入れ子領域とからなるスライド機構と、前記第１幅長さの状態と第２幅長さの状態との各々の幅長さに規制するスライド規制手段と、前記第１幅長さの状態及び第２幅長さの状態に保持する固定手段とを備えればよい。
【００２０】
本発明の幅定規は、一端辺を含む第１本体部と、前記他端辺を含む第２本体部と、前記一端辺と他端辺との間の幅長さを第１幅長さ又は第２幅長さに保持する幅調節手段とを備えるものであればよく、素材としての制限はなく、例えば金属製でもプラスチック製でも他の素材であってもよい。
【００２１】
本発明の幅定規は、前述の図３に示す通り、床施工時に、壁際のシートやタイルをおさめる際に用いる。既に敷きこんであるタイルの上にカットするタイルを幅定規の幅分だけ重ねる。その上に幅定規を壁際にあてるようにして置き、反対側をカッターでカットするか、けがいた後にカットし壁際におさめるように用いる。
【００２２】
即ち、ウッドタイルを２重に配置した後、ウッドタイルのタイル幅と同じ幅とした幅定規の一辺を施工部屋の壁面に当接させながら、カッター等でカットするか、カットラインを上層のウッドタイルにけがく（印す）いてウッドタイルをカットし、壁際に納めて床施工を終了する。
【実施例】
【００２３】
図１は本発明の可変幅定規の一実施例の第１幅長さでの構成を示す説明図であり、ａ図は平面図、ｂ図は側面図、ｃ図は底面図である。図２は図１の幅定規の第２幅長さでの構成を示す説明図であり、ａ図は平面図、ｂ図は側面図、ｃ図は底面図である。
【００２４】
図に示す通り、本実施例の幅定規１０は、貼着される床材を壁面に沿った内形状に切断するに際して使用される。具体的には、壁面に接触させる一端辺１２と貼着される床材をカットするかカット用の印しを付与する他端辺２２との幅長さが予め定められた幅長さを備える。
【００２５】
この幅定規１０は、大きく分けて、一端辺１２を含む第１本体部１１と、他端辺２２を含む第２本体部２１との２つの構成材からなる。第１本体部１１の平面の略中央部には、持ち手１５が底面側の一組のネジ１６によって固設されている。
【００２６】
図１及び図２のｃ図に示す通り、第１本体部１１の底面には、第１本体部１１の一組のネジ１６の間の中央領域に形成された凹部１３と、この凹部１３から一端辺１２と対向する辺まで凹部１３の幅より狭い連絡溝部１４とが形成されている。凹部１３と連絡溝部１４とは第１本体部１１の板厚の半分の深さである。
【００２７】
第２本体部２１の他端辺２２に対向する辺には、連絡溝部１４及び凹部１３に侵入するスライド片２３が形成されている。このスライド片２３は第１本体部１１及び他端辺２２の第２本体部２１の半分の厚さであり、第１本体部１１の連絡溝部１４及び凹部１３に侵入した状態で第１本体部１１の板厚となる。
【００２８】
スライド片２３の先端部は凹部１３の横幅と同じ幅を有し、連絡溝部１４の幅よりも大きいため、第１本体部１１及び第２本体部２１がスライド状態から分離することはなく、第１本体部１１の一端辺１２と第２本体部２１の他端辺２２との間の幅長さがスライド片２３の入れ子式の出入りによるスライド機構によって可変となっている。
【００２９】
第１本体部１１の平面には凹部１３に連通する一組の長穴１７が穿設されている。第２本体部のスライド片２３には、一組の長穴１７の各々を貫通する一組の係止片２４が突設されている。本実施例では、これら長穴１７と係止片２４と、前述の連絡溝部１４の幅よりも大きいスライド片２３の先端部とが幅定規１０の幅調節手段及びスライド規制手段として機能する。
【００３０】
即ち、係止片２４が長穴１７の長手方向に移動するため、良好なガイドとして機能し、連絡溝部１４の幅よりも大きいスライド片２３の先端部が凹部１３の一端辺側に当接して停止する状態が第１本体部１１と第２本体部２１との幅が最小となるように設定されており、連絡溝部１４の幅よりも大きいスライド片２３の先端部の折り返し部が凹部１３の他端辺側に当接して停止する状態が最大幅となるように設定されている。これにより、第１幅長さの状態と第２幅長さの状態との各々の幅長さに規制するスライド規制手段となる。
【００３１】
各々の係止片２４の側壁部は雄ネジ状にねじ切りされており、各々の係止片２４にはナット２５が螺合され、各々のナット２５で第１本体部１１と第２本体部２１とを互いに固定することにより、固定手段として、第１幅長さの状態と第２幅長さの状態に維持させる。
【００３２】
本実施例の第１幅長さとしては７５mmであり、第２幅長さとしては１００mmとしている。これにより、幅が７５mmのウッドタイルと、幅が１００mmウッドタイルとを切り換えて使用することにより、捨てタイルを用いる必要がなく、取り回しの良い幅定規であって、用いる床材の幅に合せて切り替えて対応することができ、カットラインのけがきを省いてカッターガイドとしても利用することが可能である。
【００３３】
また、固定手段としてナット２５で第１本体部１１と第２本体部２１とを固定しているため、幅が７５mmと幅が１００mmとの間の任意の幅で固定することができるため、今後、幅が７５mmのウッドタイルと幅が１００mmウッドタイルとの間のウッドタイルが市販された場合でも、使用するウッドタイルの幅を正確に合わせて固定することにより使用することができることは言うまでもない。
【００３４】
尚、ウッドタイルとしては幅が７５mm、１００mm以外にも、６０mm、１２０mm、１５０mm、１５２．４mm等の幅のものが市販されている。そのため、可変幅定規としては、これら市販のウッドタイルの２つの幅長さを第１及び第２の幅長さとして採用しても良い。例えば、第１幅長さが６０mmであり、第２幅長さが１２０mmとしても良い。
【産業上の利用可能性】
【００３５】
人気となってきているウッドタイルの床施工に使用でき、７５mmのウッドタイルと幅が１００mmウッドタイルとに良好に適用できる。
【符号の説明】
【００３６】
１０…幅定規、
１１…第１本体部、
１２…一端辺、
１３…凹部、
１４…連絡溝部、
１５…持ち手、
１６…ネジ、
１７…長穴、
２１…第２本体部、
２２…他端辺、
２３…スライド片、
２４…係止片、
２５…ナット、
【図１】
2016211194.tif 000003
【図２】
2016211194.tif 000004
【図３】
2016211194.tif 000005